(57)【特許請求の範囲】
【請求項１】
基材とシーラント層を有する積層体を、シーラント層が対向するように周縁をシールしてなる包装容器であって、
前記積層体は、
断面形状が三角形とされ、所定角度の微細な万線状凹凸パターン群を施した画像形成領域と、
エンボス加工領域と、
を有しており、
前記基材は、
層厚方向において、前記シーラント層側に位置する第１表面と、前記第１表面と反対側の第２表面と、を有する透明樹脂層と、
前記透明樹脂層と前記シーラント層との間において前記層厚方向から見て前記透明樹脂層の一部分のみと積層するように前記第１表面に配置され、金属光沢を有し、前記透明樹脂層を透過する光を前記透明樹脂層に向けて反射する蒸着層と、
を有し、
前記画像形成領域における前記透明樹脂層の前記第２表面には、前記万線状凹凸パターン群が形成されており、
前記蒸着層は、
層厚方向において、前記画像形成領域の全体と重なる範囲に設けられたことを特徴とする包装容器。
【請求項２】
前記画像形成領域が、非シール部に設けられることを特徴とする請求項１記載の包装容器。
【請求項３】
前記積層体が、印刷領域を有することを特徴とする請求項１または２に記載の包装容器。
【請求項４】
層厚方向において、第１表面と、前記第１表面と反対側の第２表面と、を有する透明樹脂層に、前記層厚方向から見て前記透明樹脂層の一部分のみと積層するように、金属光沢を有し前記透明樹脂層を透過する光を前記透明樹脂層に向けて反射する蒸着層を前記第１表面に積層させ、前記蒸着層が積層された方の前記透明樹脂層にシーラント層を積層させることを含んで、積層体を形成することと、
断面形状が三角形とされ、所定角度の微細な万線状凹凸パターン群を前記第２表面に形成するための万線状パターンが形成されたプレス版を前記第２表面に押圧することによって、前記積層体の層厚方向において、前記蒸着層と重なる前記透明樹脂層の前記第２表面に前記万線状凹凸パターン群を施した画像形成領域を形成することと、
前記積層体をエンボス加工することと、
前記積層体の前記シーラント層が対向するように前記積層体の周縁部をシールすることと、
を含み、
前記積層体の前記周縁部をシールする前に前記積層体をエンボス加工する際に、前記積層体に前記画像形成領域を形成することを特徴とする包装容器の製造方法。
【発明の詳細な説明】
【技術分野】
【０００１】
本発明は包装容器および包装容器の製造方法に関し、特に画像形成体を付与することでパウチ等の包装容器における偽造防止に用いて好適な技術に関する。
【背景技術】
【０００２】
詰め替え容器、あるいは、簡易容器のような包装容器として、パウチなどの樹脂製包装容器が用いられている。
【０００３】
近年、海外等においてパウチ等の模造品が出回っている。これが大量に出回ると大きな損害となる可能性がある。このため、模造品の製造を安価にかつ手間を掛けず防止する手段が求められている。
偽造防止等を目的とした手段としては、次のようなものが提案されていた。
【先行技術文献】
【特許文献】
【０００４】
【特許文献１】特開２００８−１８９３３９号公報
【特許文献１】特開２００６−１６８２４４号公報
【発明の概要】
【発明が解決しようとする課題】
【０００５】
しかし、特許文献１の技術であると、レーザ加工をおこなわないパウチの場合、偽造防止のためにレーザ照射工程が増えて、製造コストが上昇するという問題があった。
また、特許文献２の技術であると、感熱発色インキ層を設ける等、さらに製造工程が増加して製造コストが上昇してしまうという問題がある。
【０００６】
本発明は、上記の事情に鑑みてなされたもので、顕像化により、パウチ等の容器に対する偽造防止を安価にかつ工程数の増大を来さずに可能とするという目的を達成しようとするものである。
【課題を解決するための手段】
【０００７】
本発明の包装容器は、基材とシーラント層を有する積層体を、シーラント層が対向するように周縁をシールしてなる包装容器であって、前記積層体は、断面形状が三角形とされ、所定角度の微細な万線状凹凸パターン群を施した画像形成領域と、エンボス加工領域と、を有しており、前記基材は、層厚方向において、前記シーラント層側に位置する第１表面と、前記第１表面と反対側の第２表面と、を有する透明樹脂層と、前記透明樹脂層と前記シーラント層との間において前記層厚方向から見て前記透明樹脂層の一部分のみと積層するように前記第１表面に配置され、金属光沢を有し、前記透明樹脂層を透過する光を前記透明樹脂層に向けて反射する蒸着層と、を有し、前記画像形成領域における前記透明樹脂層の前記第２表面には、前記万線状凹凸パターン群が形成されており、前記蒸着層は、層厚方向において、前記画像形成領域の全体と重なる範囲に設けられたことにより上記課題を解決した。
本発明は、前記画像形成領域が、非シール部に設けられることが好ましい。
本発明は、前記積層体が、印刷領域を有することがある。
本発明の包装容器の製造方法は、層厚方向において、第１表面と、前記第１表面と反対側の第２表面と、を有する透明樹脂層に、前記層厚方向から見て前記透明樹脂層の一部分のみと積層するように、金属光沢を有し前記透明樹脂層を透過する光を前記透明樹脂層に向けて反射する蒸着層を前記第１表面に積層させ、前記蒸着層が積層された方の前記透明樹脂層にシーラント層を積層させることを含んで、積層体を形成することと、断面形状が三角形とされ、所定角度の微細な万線状凹凸パターン群を前記第２表面に形成するための万線状パターンが形成されたプレス版を前記第２表面に押圧することによって、前記積層体の層厚方向において、前記蒸着層と重なる前記透明樹脂層の前記第２表面に前記万線状凹凸パターン群を施した画像形成領域を形成することと、前記積層体をエンボス加工することと、前記積層体の前記シーラント層が対向するように前記積層体の周縁部をシールすることと、を含み、前記積層体の前記周縁部をシールする前に前記積層体をエンボス加工する際に、前記積層体に前記画像形成領域を形成する。
【０００８】
本発明の包装容器は、基材とシーラント層を有する積層体を、シーラント層が対向するように周縁をシールしてなる包装容器であって、前記積層体は、断面形状が三角形とされ、所定角度の微細な万線状凹凸パターン群を施した画像形成領域と、エンボス加工領域と、を有しており、前記基材は、層厚方向において、前記シーラント層側に位置する第１表面と、前記第１表面と反対側の第２表面と、を有する透明樹脂層と、前記透明樹脂層と前記シーラント層との間において前記層厚方向から見て前記透明樹脂層の一部分のみと積層するように前記第１表面に配置され、金属光沢を有し、前記透明樹脂層を透過する光を前記透明樹脂層に向けて反射する蒸着層と、を有し、前記画像形成領域における前記透明樹脂層の前記第２表面には、前記万線状凹凸パターン群が形成されており、前記蒸着層は、層厚方向において、前記画像形成領域の全体と重なる範囲に設けられたことにより、レーザ照射工程や、熱可塑性インキ層の付加工程等、新たな工程を追加することなく、万線状凹凸パターン群を施した画像形成領域を有することだけで、偽造防止手段を設けることが可能となる。また、この万線状凹凸パターン群を施した画像形成領域を有する積層体からなる包装容器が、海外等偽造物が出回っている地域においては製造することが難しく、また、検討合わせが非常に難しいため、第３者による偽造を困難にして、パウチ等の偽造防止を図り、製品の保護をおこなうことが可能となる。
また、前記積層体が、前記エンボス加工領域を有することで、画像形成領域の形成をエンボス加工と同時におこなうことで、工程数が増加することなく、画像形成領域を有する包装容器を製造することができる。
また、前記積層体が、前記蒸着層を有することで、画像形成領域の形成を容易にし、画像形成領域の視認性を向上することができる。
【０００９】
本発明は、前記画像形成領域が、非シール部に設けられることにより、包装容器の陳列時に、偽造防止機能を提示して、偽造品でないという証明を適確におこなうことが可能となる。
【００１１】
本発明は、前記積層体が、印刷領域を有することで、視認性を向上した包装容器であっても、デザインに関わりなく偽造防止機能を呈することができる。
【００１３】
本発明の包装容器の製造方法は、層厚方向において、第１表面と、前記第１表面と反対側の第２表面と、を有する透明樹脂層に、前記層厚方向から見て前記透明樹脂層の一部分のみと積層するように、金属光沢を有し前記透明樹脂層を透過する光を前記透明樹脂層に向けて反射する蒸着層を前記第１表面に積層させ、前記蒸着層が積層された方の前記透明樹脂層にシーラント層を積層させることを含んで、積層体を形成することと、断面形状が三角形とされ、所定角度の微細な万線状凹凸パターン群を前記第２表面に形成するための万線状パターンが形成されたプレス版を前記第２表面に押圧することによって、前記積層体の層厚方向において、前記蒸着層と重なる前記透明樹脂層の前記第２表面に前記万線状凹凸パターン群を施した画像形成領域を形成することと、前記積層体をエンボス加工することと、前記積層体の前記シーラント層が対向するように前記積層体の周縁部をシールすることと、を含み、前記積層体の前記周縁部をシールする前に前記積層体をエンボス加工する際に、前記積層体に前記画像形成領域を形成することにより、製造工程を増加することなく、偽造防止機能を有する包装容器を製造することが可能となる。
【発明の効果】
【００１４】
本発明によれば、従来のパウチ等における製造工程を増やすことなく、偽造防止をおこなうことができるという効果を奏することが可能となる。
【図面の簡単な説明】
【００１５】
【図１】本発明に係る包装容器の第１実施形態を示す正面図（ａ）、ｂ−ｂ’矢視断面図（ｂ）である。
【図２】本発明に係る包装容器の第１実施形態における画像形成領域を示す断面図である。
【図３】本発明に係る包装容器の第１実施形態における製造方法を示す断面図である。
【図４】本発明に係る包装容器の第２実施形態を示す正面図である。
【図５】本発明に係る包装容器の第３実施形態を示す正面図である。
【発明を実施するための形態】
【００１６】
以下、本発明に係る包装容器の第１実施形態を、図面に基づいて説明する。
図１は、本実施形態における包装容器を示す正面図（ａ）および、ｂ−ｂ’矢視断面図（ｂ）であり、図２は、本実施形態における包装容器における画像形成領域を示す断面図であり、図１は、本実施形態における包装容器の製造方法を示す断面図であり、図において、符号１は、包装容器である。
【００１７】
本実施形態に係る包装容器１は、図１（ａ）（ｂ）に示すように、基材１１とシーラント層１２を少なくとも有する積層体からなる詰替え容器であって、２枚の積層体を、シーラント層を内側にして本体表面積層体２と本体裏面積層体３を形成し、別の積層体を、シーラント層を外側にして折り曲げて底テープ４とし、本体表面積層体２と本体裏面積層体３の間に挿入して周縁をシールしてなるスタンディングパウチ形状としたものである。スタンディングパウチ形状の容器は、底テープ４が広がるため、大容量の容器とすることが容易に可能である。
【００１８】
積層体２，３，４の基材１１には、図３に示すように、透明シート１１ａにアルミニウム、スズなどの金属や、シリカ、アルミナなどの金属酸化物等を蒸着した蒸着層１１ｂが形成されることや、透明シート１１ａに金属箔膜１１ｂを貼り着けることができ、さらに、積層体２，３，４として印刷層や接着剤層が含まれることができる。
【００１９】
本体表面積層体２と本体裏面積層体３との両側部には、図１（ｂ）に示すように、側シール部（シール部）２２が設けられ、本体表面積層体２と底テープ４とおよび本体裏面積層体３と底テープ４との下部には底シール部（シール部）２３が設けられている。
【００２０】
本体表面積層体２および本体裏面積層体３の上部には、充填用開口部４１と、注出ノズルシール部２４と共に、内容物を注ぎ出すための注出ノズル３２が形成されている。注出ノズル３２の先端は注出ノズル先端シール部２４によってシールされており、開封用切欠３５から切り離すことにより注出口を形成する。注出ノズル３２および開封用切欠３５付近には、開封予定線に並行する複数のレーザーカット線が施されていてもよい。
【００２１】
本実施形態に係る包装容器１の本体表面積層体２には、図１（ａ）に示すように、画像形成領域５と、印刷領域７とが設けられている。インキ層（印刷領域）７はそれぞれ７ａ乃至７ｅの領域で色の異なるインキを用い、全体として多色の絵柄を形成するものとされる。これらの印刷を行う際に、画像のインキ層７と基材１１の表面との間にインキの接着性を良好にするアンカーコートを介在させてもよい。
なお、画像形成領域５は、本体裏面積層体３の表面にも形成されていることができる。
【００２２】
本実施形態において、画像形成領域５は、図２に示すように、非シール部、すなわち、シール部２２，２３，２４にかからない領域として、本体表面積層体２および本体裏面積層体３とが厚さ方向にシールされていない部分に設けられ、これら本体表面積層体２および本体裏面積層体３に非常に微細な万線状の凹凸パターン群を形成したものである。
万線状の凹凸パターン群は、偽造防止の識別用として、微細な万線状凹凸パターン群をその方向を少しずつ変化させて所要のエンボスパターンに形成したプレス板を、インキ層７を形成した基材１１の表面上に押圧することにより作製されたものである。
【００２３】
このような画像形成領域５は、その万線状凹凸パターン群の方向が少しずつ変化しているため、表面の各万線状凹凸パターン群で反射された光の反射方向が少しずつ変化し、見る方向や角度によって光沢の濃淡や輝きが動的に変化する。このため、極めて緻密な視覚効果を発揮する。このように、見る角度を変えると文字や絵柄が微細に変化するものを「チェンジング」技術という。
例えば、図２に示すように、見る角度によって「Ｔ」あるいは「Ｐ」で示す画像が視認可能として、視認できる画像が変化するものである。
【００２４】
さらに、この効果を有する画像形成領域５は、プレス板に形成するエンボスパターンの製作が非常に難しく、またこの見当合せが非常に難しいため、基材１１上に予め形成してあるインキ層７からなる絵柄と共に位置設定を施した場合に、第三者が偽造することは困難である。
【００２５】
積層体２，３，４としては、通常軟包装袋に使用される積層体を用いることができる。基材１１としては、１層ないしは数層からなる紙や金属箔や合成樹脂フィルムを使用する。一例を挙げれば、透明シート１１ａとすることのできる、低密度ポリエチレン樹脂（ＬＤＰＥ）、高密度ポリエチレン樹脂（ＨＤＰＥ）、直鎖状低密度ポリエチレン樹脂（ＬＬＤＰＥ）、ポリプロピレン樹脂（ＰＰ）、ポリオレフィン系エラストマー等のポリオレフィン系樹脂、ポリエチレンテレフタレート樹脂（ＰＥＴ）、ポリブチレンテレフタレート樹脂（ＰＢＴ）、ポリエチレンナフタレート樹脂（ＰＥＮ）等のポリエステル系樹脂、セロハン、三酢酸セルロース（ＴＡＣ）等のセルロース系樹脂、ポリメチルメタアクリレート（ＰＭＭＡ）樹脂、エチレン−酢酸ビニル系共重合樹脂（ＥＶＡ）、アイオノマー樹脂、ポリブテン系樹脂、ポリアクリロニトリル系樹脂、ポリアミド系樹脂、ポリスチレン系樹脂（ＰＳ）、ポリ塩化ビニル系樹脂（ＰＶＣ）、ポリ塩化ビニリデン系樹脂（ＰＶＤＣ）、ポリカーボネート樹脂（ＰＣ）、フッ素系樹脂、ウレタン系樹脂等の合成樹脂フィルムおよび紙、金属箔等が単体または、複合して使用される。
【００２６】
シーラント層１２としては、ポリオレフィン系樹脂が一般的に使用され、具体的には、低密度ポリエチレン樹脂、中密度ポリエチレン樹脂、直鎖状低密度ポリエチレン樹脂、エチレン・酢酸ビニル共重合体、エチレン・αオレフィン共重合体などのエチレン系樹脂や、ホモポリプロピレン樹脂、プロピレン・エチレンランダム共重合体、プロピレン・エチレンブロック共重合体、プロピレン・αオレフィン共重合体などのポリプロピレン系樹脂などが使用される。またこれらの樹脂を複合した多層フィルムが使用されることもある。
【００２７】
積層体２，３，４の具体的な構成例としては、ＰＥＴ／印刷層／接着剤層／延伸ポリアミド樹脂フィルム（以下ＯＮＹと略す）／接着剤層／ＬＬＤＰＥからなる構成のフィルムや、ＯＮＹ／接着剤層／ＬＬＤＰＥ、ＯＮＹ／接着剤層／ＯＮＹ／接着剤層／ＬＬＤＰＥ、紙／ＬＤＰＥ／アルミニウム箔／ＬＤＰＥ、紙／ＬＤＰＥなどを例示することができる。
【００２８】
以下、本実施形態における包装容器の製造方法について説明する。
【００２９】
本実施形態における包装容器１を製造する際には、図３（ａ）に示すように、まず、上記の積層体２，３，４とする基材１１を用意する。基材１１は、透明シート１１ａにアルミニウム等の蒸着層１１ｂが設けられたものとされている。
【００３０】
次いで、図３（ｂ）に示すように、この基材１１にシーラント層１２を積層した状態とする。
【００３１】
次いで、図３（ｃ）に示すように、基材１１表面に印刷して所定のインキ層７を形成する。
【００３２】
次いで、図３（ｄ）に示すように、微細な万線状凹凸パターン群をその方向を少しずつ変化させて所要のエンボスパターンに形成したプレス板によって、画像のインキ層７の上から基材１１表面を押圧することにより、基材１１の表面上に非常に微細な万線状の凹凸パターン群からなる画像形成領域５を形成する。
【００３３】
この万線状凹凸パターン群においは、例えば、その溝ピッチ幅は６０〜９０μｍ、凹凸の深さは１０〜２０μｍであり、画像の画素に応じて微細な凹凸パターン群の方向、及び、ピッチ幅と深さとを少しずつ変化させることができる。
【００３４】
本実施形態では、画素を形成するインキの領域７ａ乃至７ｅごとに僅かずつ万線状凹凸パターン群の方向、及び、凹凸のピッチと深さとを変化させて形成してある。すなわち、領域７ａと領域７ｂ等の隣接する領域に対応する万線状凹凸パターン群は互いに異なっている。
【００３５】
この画像形成領域５としての万線状凹凸パターンの加工は、従来と同様に所要のエンボスパターンを形成したプレス版によって本体表面積層体２または本体裏面積層体３となる基材１１をそれぞれ押圧することにより行うことができる。
【００３６】
このように形成された画像形成領域５においては、アルミニウム等の蒸着層１１ｂおよび透明シート１１ａが、同時に万線状凹凸パターン加工されることにより、見る角度や方向によって、画像のパターンが複数タイプに変化するように設定される。さらに、金属光沢面であるアルミニウム等の蒸着層１１ｂが内側に形成されているために、透明シート１１ａによって外部から保護され、その光沢がいつまでも失われないとともに、このアルミニウム等の蒸着層１１ｂの入射光及び反射光が透明シート１１ａを介するために、積層体２，３の表面が傷ついた場合などでも、画像の視認を維持する効果を発揮できる。
【００３７】
次いで、このように画像形成領域５の形成された本体表面積層体２および本体裏面積層体３をシーラント層１２が対向する状態として底テープ４を挟み、これら積層体２，３，４の周縁をシールして、それぞれシール部２２，２３，２４を形成することによりスタンディングパウチ形状の包装容器１とする。
【００３８】
本実施形態の包装容器１においては、画像形成領域５を形成したことにより、第３者が製造することのできないものとされ、偽造防止効果を呈することができる。さらに基材１１上に複雑な情報あるいは人物・風景等の画像に万線状凹凸パターンを容易に施すことができ、微細かつ多様な表現を製造可能とするとともに、極めて華麗な画像をいつまでも保持することができる。
また、画像形成領域５を包装容器１と一体として形成することで、シールなどで認証をおこなう手段や、認証用にレーザ照射の工程を有する手段等に比べて、製造工程を増やすことなく、偽造防止効果を向上することができる。
【００３９】
なお、基材１１として紙を用いる場合には、紙として、上質紙、片アート紙、コート紙、キャストコート紙、模造紙などを用いることができる。積層体に紙からなる層を含むものを用いた場合には、深いエンボス加工により紙に割れが生じることがあるので、本実施形態の包装容器に用いる場合は、凸エンボスおよび凹エンボスとして、筋状のエンボスを採用することにより、紙を用いた積層体を安定して使用することができる。環境配慮の点からも、紙を用いることは有効である。
【００４０】
以下、本発明に係る包装容器の第２実施形態を、図面に基づいて説明する。
図４は、本実施形態における包装容器を示す正面図である。
本実施形態において上述した第１実施形態と異なるのは画像形成領域５を形成する箇所に関する点であり、これ以外の対応する構成要素に関しては、同一の符号を付してその説明を省略する。
【００４１】
本実施形態においては、図４に示すように、画像形成領域５がシール部２２に形成されている。つまり、画像形成領域５は、本体表面積層体２と本体裏面積層体３とがシールされた領域に形成されている。
【００４２】
本実施形態における包装容器１の製造方法においては、積層体２，３，４には予め画像形成領域５を形成せずに、本体表面積層体２および本体裏面積層体３をシーラント層１２が対向する状態として底テープ４を挟んで施されるシール形成工程において、画像形成領域５を形成する。
【００４３】
本実施形態では、シール形成工程においてシール部２２に対応するプレス版を、画像形成領域５に対応した部分に万線状凹凸パターンの形成されたプレス版として、シール部２２，２３，２４を形成する。これにより、シール加工時、特に、冷却時にシール部２２に画像形成領域５が形成される。
【００４４】
本実施形態においては、状出の第１実施形態と同等の効果を奏することができるとともに、包装容器１を形成するシール工程において画像形成領域５を形成することにより、画像形成領域５のみを形成する場合に比べて製造工程数を減少して製造時間を削減し、製造コストを低減することが可能となる。
【００４５】
さらに、単体の積層体２，３，４に比べて厚さの厚いシール部２２に画像形成領域５を形成するために、画像形成領域５の万線状凹凸パターンを形成可能な厚さを増大することも可能であり、これにより、画像形成領域５における表示用の画像、文字等の形成において、より自由度を持たせて複雑な構成とすることが可能となる。これによって、より偽造防止効果を高めることができる。
【００４６】
以下、本発明に係る包装容器の第３実施形態を、図面に基づいて説明する。
図５は、本実施形態における包装容器を示す正面図である。
本実施形態において上述した第１実施形態と異なるのは画像形成領域５を形成する箇所のみに蒸着層１１ｃが形成されている点、および、エンボス部３８に関する点であり、これ以外の対応する構成要素に関しては、同一の符号を付してその説明を省略する。
【００４７】
本実施形態の包装容器１においては、図５に示すように、蒸着層１１ｃが、画像形成領域５を含む部分のみに形成されており、それ以外の積層体２，３，４は、透明シート１１ａのみからなる基材１１とされている。また、本実施形態では、注出ノズル３２に対応する箇所に、エンボス部（エンボス加工領域）３８が形成されている。
【００４８】
本実施形態における包装容器１の製造方法においては、画像形成領域５に対応した万線状凹凸パターンの形成されたプレス版を、エンボスユニットに釣り付けて、エンボス部３８を形成するエンボス加工時に、画像形成領域５を形成することができる。
また、本実施形態では、蒸着層１１ｃが、画像形成領域５を含む部分のみに形成されていることにより、金属光沢を有する部分を画像形成領域５付近のみとして、偽造防止用の認証における視認性をより向上して、製品に対する高級感を演出することができる。
【００４９】
なお、上記の実施形態においては、スタンディングパウチ状の包装容器１として説明したが、本発明は、このような形状・様体に限定されないことは勿論である。
また、画像形成領域５には、印刷をおこなわず、インキ層７が重なって形成されないようにしてもよい。
【００５０】
また、上記の実施形態においては、蒸着層１１ｂまたは蒸着層１１ｃを有する構成としたが、蒸着層のない積層体を用いて画像形成領域５の形成された包装容器とすることもできる。この場合も、インキ層７が画像形成領域５に重なる構成と、インキ層７が画像形成領域５に重ならない構成とが可能である。また、インキ層７を基材１１表面以外に形成することもできる。
【００５１】
さらに、画像形成領域５として、画像のインキ層７の上から基材１１に非常に微細な万線状の凹凸パターン群を形成し、万線状凹凸パターン群の方向が少しずつ変化しているため、表面の各万線状凹凸パターン群で反射された光の反射方向が様々に変化し、見る方向や角度によって金属光沢の濃淡や輝き、更に印刷画像に重ねた場合にはこれに加えてインキの色が動的に変化して、極めて華麗なオパール効果と称する視覚効果を発揮するものとしてもよい。
【符号の説明】
【００５２】
１…包装容器
２…本体表面積層体
３…本体裏面積層体
４…底テープ
５…画像形成領域
７…インキ層（印刷領域）
１１…基材
１１ａ…透明シート
１１ｂ，１１ｃ…蒸着層
１２…シーラント層
２２…側シール部（シール部）
２３…底シール部（シール部）
２４…注出ノズルシール部（シール部）
３２…注出ノズル
３５…開封用切欠
３８…エンボス部（エンボス加工領域）
４１…充填用開口部
【図１】
0006467848.tif 000002
【図２】
0006467848.tif 000003
【図３】
0006467848.tif 000004
【図４】
0006467848.tif 000005
【図５】
0006467848.tif 000006